(57)【要約】      （修正有）【課題】電磁接触器の補助接点ユニットの基本構造，端子配列はそのままに、一部構造を改良して外部電線の配線作業性改善を図る。【解決手段】サイドオン型補助接点ユニット４を装着した電磁接触器で、補助接点ユニット４のユニットケース５が階段状に並ぶ端子台５a,b、および該端子台５a,bの左右側面域を覆うバリア壁５ｃを備え、前記端子台５a,b上に配した端子ねじ７付き端子板６a,bに外部電線９の圧着端子８をねじ締結してユニットケース５から前後方向に引き出し配線したものにおいて、前記バリア壁５cのうち、内側のバリア壁については、その上半部の前後端縁を上段端子台５a／下段端子台５b間の境界と略同じ位置に合わせて外側のバリア壁よりも短小に設定し、さらに本体フレーム２の側壁外面には電線逃がし用の凹部１２を形成して上段側の端子板６ｂに接続した電線９をユニットケース５の側方に片寄りさせ、下段側の電線配線作業が行えるようにする。【選択図】図２
2009048843.tif 000002
【特許請求の範囲】
【請求項１】
主回路接点の開閉機構を内装した本体フレームの側面に、２組の補助接点を内蔵したサイドオン型の補助接点ユニットを装着してその補助接点を前記接点機構に連繋させた電磁接触器であって、前記補助接点ユニットは、高低段差をつけて階段状に並ぶ上段および下段の端子台、および端子台の左右側面域を覆う一対のバリア壁を備えたユニットケースに対し、前記端子台の上に各組の補助接点に対応するねじ付き端子板を振り分けて配置した構成になり、前記の端子板に外部電線をねじ締結してユニットケースから前後方向に引き出し配線したものにおいて、
前記した左右一対のバリア壁のうち、電磁接触器の本体フレームに対面する内側のバリア壁については、その上半部の前後端縁を上段端子台／下段端子台間の境界と略同じ位置に合わせて、外側のバリア壁よりも短小に設定したことを特徴とする電磁接触器。
【請求項２】
請求項１に記載の電磁接触器において、補助接点ユニットを装着する本体フレームの側壁外面には、補助接点ユニットの上段端子板に位置を合わせて該端子板に接続した外部電線をユニットケースの側方に片寄りさせる電線逃がし用の凹部を形成したことを特徴とする電磁接触器。
【発明の詳細な説明】
【技術分野】
【０００１】
本発明は、本体フレームの側面にサイドオン型の補助接点ユニット（オプション）を装着して使用する補助接点ユニット付き電磁接触器に関し、詳しくは補助接点ユニットに対する外部電線の配線構造に係わる。
【背景技術】
【０００２】
周知のように電磁接触器にはオプション品として補助接点ユニットが用意されており、その補助接点ユニットとして２組の補助接点（ａ接点とｂ接点）を内蔵し、電磁接触器の本体フレームの側面に装着して電磁接触器の接点開閉機構に連繋させたサイドオン型の補助接点ユニットが知られている。
次に、上記のサイドオン型補助接点ユニットを備えた電磁接触器の従来構造を図７〜図９に示す。各図において、１は電磁接触器、２は電磁接触器１の本体フレーム（モールド樹脂ケース）、３は主回路の外部端子、４が本体フレーム２の側面に装着した補助接点ユニット（オプション品）である。この補助接点ユニット４は、樹脂製ユニットケース５の内部に２組の補助接点（ａ接点とｂ接点）を内蔵して電磁接触器の接点開閉機構に連繋させ、また前記補助接点に対応するねじ付き端子板６ａ，６ｂをユニットケース５の前後端部に形成した端子台上に配して外部電線を配線するようにしている。
ここで、ユニットケース５は左右二つ割り構造のモールド樹脂ケースで、図８で示すように互いに高低段差をつけて階段状に並ぶ下段の端子台５ａおよび上段の端子台５ｂと、これら端子台を挟んでその内外側面域を覆う左右一対のバリア壁５ｃからなる。また、下段の端子台５ａ，上段の端子台５ｂの上にはそれぞれ補助接点の固定接触子を兼ねた端子板６ａ，６ｂを配置し、かつ各端子板６ａ，６ｂには端子ねじ７を螺設して外部電線（圧着端子付き）をねじ締結するようにしている。そして、ユニットケース５に設けたスナップフィット（掛止爪）を介して本体フレーム２に装着するようにしている。
【０００３】
また、前記のバリア壁５ｃは端子板６ａ，６ｂ，端子ねじ７などの充電部に指先が触れて感電するのを防止するフィンガー・プロテクション機能を持たせた絶縁壁であり、図示構造では階段状に並ぶ端子台５ａ，５ｂの周域を覆うような段付き形状とし、その上半部の幅Ｄは上段側に並ぶ端子台５ｂの前後端面間の距離Ｌよりも大きく（Ｄ＞Ｌ）設定し（図８参照）、その前後端縁が下段側に並ぶ端子板６ａの配置領域まで張り出している。なお、１０は補助接点の可動接触子に連繋してユニットケース５から内側（電磁接触器１の本体フレーム２と対面する側）に引き出した操作レバーである。
この補助接点ユニット４の端子板６ａ，６ｂに電線を配線するには、外部電線９に圧着端子８（丸形あるいはＵ形圧着端子）を取り付け、この圧着端子８を端子ねじ７により締結して端子板６ａ，６ｂに接続し、図７（ａ），（ｂ）で示すように左右のバリア壁５ｃの間を通して電線９をユニットケース５から前後方向（電磁接触器１の外部端子３の引き出し方向）に引き回して配線するようにしている。なお、外部電線９の配線状態では、図示のように上段の端子板６ｂにねじ締結して配線した圧着端子付き電線９と下段の端子板６ａに配線した圧着端子付き電線９とが上下に並んで同じ方向に配線されている。
一方、電磁接触器に備えた補助接点の端子配列構造について、補助接点の各端子板に接続した電線の引き出し方向を先記の従来例（図７参照）と直交する方向に変え、外部電線を補助接点端子台から側方に引き出すように端子板を配列した構造の電磁接触器も知られている（例えば、特許文献１参照）。
【特許文献１】実開昭５８−５５３４１号公報
【発明の開示】
【発明が解決しようとする課題】
【０００４】
ところで、図７，図８に示した電磁接触器の補助接点ユニット４に外部電線９を配線するには、図９で示すようにドライバー（ねじ回し）１１を使って行うが、この場合の作業順序として上段の端子板６ｂに外部電線９の圧着端子８を先にねじ締結し、その後に下段の端子板６ａに外部電線９を接続しようとすると、このままでは上段の端子板６ｂに接続した配線済みの電線９が邪魔になって下段側端子６ａの端子ねじ７をドライバー１１でねじ締め操作することができない。このために、先に接続した上段側の電線９を一旦外した上で、改めて下段側の端子板６ａから先に配線をやり直す作業が強いられる。また、電磁接触器の使用現場で行う補助接点ユニット４の配線替え，端子ねじ７の締め増しなどのメンテナンス作業で、下段側の端子板６ａから外部電線９を外したり端子ねじ７を締め直す場合にも同様な問題が生じてその配線作業に手間と時間がかかる。
そのほか、可逆形電磁接触器では、２台の電磁接触器の間で電気的なインターロックをとるために、あらかじめ電磁接触器に組み付けた補助接点ユニット４に可逆制御に必要な配線を施した状態で製品を出荷するようにしている。このために、この製品を購入したユーザーが補助接点ユニット４のａ接点（下段側の端子板６ａ）に外部電線９を配線する際には、配線済みの上段側端子板から電線を一旦取り外さなければならず、その配線作業に手間がかかるほか、配線のやり直しに伴う誤配線も生じ易い。
【０００５】
また、特許文献１に開示されている補助接点端子の配列構造によれば、電線同士の干渉なしに外部電線を端子板にねじ締結できるので前記した配線作業の面倒な手間が解消されるものの、外部電線が電磁接触器から側方に引き出されるために、多数台の電磁接触器を配電盤，制御盤内の取付レール上に並べて設置する場合には、隣り合う電磁接触器の相互間に余分な配線引き回しスペースを確保する必要があって盤が大形化する。
本発明は上記の点に鑑みなされたものであり、補助接点ユニットの基本構造，補助接点の端子板配列を変えることなしに、同じ方向に引き出した外部電線同士の不要な干渉を避けて配線作業性の改善が図れるように改良した補助接点ユニット付きの電磁接触器を提供することを目的とする。
【課題を解決するための手段】
【０００６】
上記目的を達成するために、本発明によれば、主回路接点の開閉機構を内装した本体フレームの側面に、２組の補助接点を内蔵したサイドオン型の補助接点ユニットを装着してその補助接点を前記接点機構に連繋させた電磁接触器で、前記補助接点ユニットが、高低段差をつけて階段状に並ぶ上段および下段の端子台、および端子台の左右側面域を覆う一対のバリア壁を備えたユニットケースに対し、前記端子台の上に各組の補助接点に対応する端子ねじ付きの端子板を振り分けて配置した構成になり、前記の端子板に外部電線をねじ締結してユニットケースから前後方向に引き出し配線したものにおいて、
前記した左右一対のバリア壁のうち、電磁接触器の本体フレームに対面する内側のバリア壁については、その上半部の前後端縁を上段端子台／下段端子台間の境界と略同じ位置に合わせて、外側のバリア壁よりも短小に設定する（請求項１）。
また、前記構成に加えて、本体フレームの側壁外面には補助接点ユニットの上段端子板に位置を合わせて電線逃がし用の凹部を形成し、上段端子板に接続して引き出した外部電線の根元をユニットケース側に片寄りさせて配線するようにする（請求項２）。
【発明の効果】
【０００７】
上記構成のように、補助接点ユニットのバリア壁について、ユニット内側（本体フレーム側）のバリア壁の上半部を短小に設定したことにより、上段側端子台の端子板に接続する外部電線は圧着端子を内側に寄せるように角度をつけてねじ締結し、さらにその電線接続部を本体フレームの外側面に形成した凹部に押し込むことで、その電線を下段側の端子台に配した端子板の上方域から側方にずらした経路に引き回して配線することができる。
これにより、下段側の端子台に配した接続板の上方にはドライバーを差し込んでねじ操作する作業スペースが確保されることになる。したがって、下段側の端子板に接続する外部電線の配線作業（圧着端子の着脱など）を上段側の端子板に配線した電線に邪魔されることなく行うことができて配線の作業性が向上する。
なお、電磁接触器に補助接点ユニットを装着した組立状態では、ユニットケースの内側バリア壁が本体フレーム（絶縁物）の壁面に重なるので、内側のバリア壁を外側のバリア壁よりも短小に設定しても、外側のバリア壁と本体フレームとで補助接点ユニットのフィンガー・プロテクション機能が損なわれるおそれはない。
【発明を実施するための最良の形態】
【０００８】
以下、本発明の実施の形態を図１〜図６に示す実施例に基づいて説明する。なお、図１は電磁接触器の本体フレームに装着した補助接点ユニットの配線状態を表す外観斜視図、図２は補助接点ユニットの詳細構造図、図３は補助接点ユニットを取付ける前の本体フレームの側面図、図４は本体フレームに補助接点ユニットを装着した状態の側面図、図５は図４の上面図、図６は補助接点ユニットの下段側端子板の配線作業状態を表す図であり、図７〜図９に対応する部材には同じ符号を付してその説明は省略する。
この実施例において、電磁接触器１の本体フレーム２に装着する補助接点ユニット４の基本構造は従来と同様であるが、図２（ａ）〜（ｃ）で示すように、ユニットケース５の内外側面に形成したバリア壁のうち、内側（本体フレームに対面する側）のバリア壁５ｃ−ｉｎについては、その上半部の前後幅Ｄ１を次記のように設定している。
すなわち、バリア壁５ｃ−ｉｎは上半部の幅Ｄ１を外側のバリア壁５ｃ−ｏｕｔの幅Ｄよりも短縮（Ｄ１＜Ｄ）し、かつその前後端縁を上段側の端子台５ｂと下段側の端子台５ａとの間の境界に合わせて上段側端子台５ｂの前後端面間距離Ｌと略同程度となるように設定している。また、補助接点ユニット４を装着する電磁接触器１の本体フレーム２の外側面には、前後二カ所に電線逃がし用の凹部１２を形成している（図３参照）。この凹部１２は、図４で表すように、本体フレーム２の側面に組み付けた補助接点ユニット４の上段側端子台と略同じ高さに合わせて前記した内側バリア壁５ｃ−ｉｎの前後端縁と連なるような位置に形成されている。
【０００９】
そして、上記構成の補助接点ユニット４を電磁接触器の本体フレーム２に装着して外部電線９を配線する際には、ユニットケース５の上段側端子台５ｂに配した接続端子６ｂに接続する外部電線９の圧着端子８を端子ねじ７に通した上で、この圧着端子８を図５の矢印方向に傾けて内側バリア壁５ｃ−ｉｎの端縁から前方に突き出た部位を本体フレーム側に寄せ、さらに本体フレーム２に形成した凹部１２の中に押し込んで電線９を本体フレーム２の側面に沿わせるように引き回し配線する。
これにより、上段側の端子板６ｂに接続した外部電線９の圧着端子８は下段側に並ぶ端子板６ａの直上位置から内側に片寄りし、この電線９とユニットケース５の外側バリア壁５ｃ−ｏｕｔ（図２参照）の間には、図６で示すように上方からドライバー１１を差し込める隙間が確保される。したがって、下段側の端子板に外部電線９を接続する際には、上段側の端子板に配線した外部電線９に邪魔されずにドライバー１１を使って圧着端子の着脱，締め増しなどの作業を行うことができ、これにより配線作業性の改善が図れる。
なお、補助接点ユニット４を電磁接触器の本体フレーム２に装着した状態では、ユニットケース５の内側バリア壁５ｃ−ｉｎは本体フレーム２の壁面に重なり合うので、内側バリア壁５ｃ−ｉｎを外側バリア壁５ｃ−ｏｕｔよりも短小に設定しても、バリア壁によるフィンガー・プロテクション機能が損なわれるおそれはない。また、図示例では外部電線９に圧着端子８を用いているが、圧着端子無しの電線でも同様に適用できる。
【図面の簡単な説明】
【００１０】
【図１】本発明の実施例による補助接点ユニット付き電磁接触器の補助接点ユニットに外部電線を配線した状態の外観斜視図
【図２】図１における補助接点ユニットの詳細構造図で、（ａ）は上面図、（ｂ）は外形斜視図、（ｃ）は側面図
【図３】図１の構成で補助接点ユニットを装着する前の本体フレームの側面図
【図４】図１の側面図
【図５】図４の上面図
【図６】図１の補助接点ユニットに対する配線作業の説明図
【図７】従来における補助接点ユニット付き電磁接触器の構成図で、（ａ），（ｂ）はそれぞれ補助接点ユニットに外部電線を接続した配線状態の側面図、および上面図
【図８】図７における補助接点ユニットの詳細構造図で、（ａ）は上面図、（ｂ）は外形斜視図、（ｃ）は側面図
【図９】図７の補助接点ユニットに対する配線作業の説明図
【符号の説明】
【００１１】
１    電磁接触器
２    本体フレーム
４    補助接点ユニット
５    ユニットケース
５ａ  下段側の端子台
５ｂ  上段側の端子台
５ｃ  バリア壁
５ｃ−ｉｎ  内側のバリア壁
５ｃ−ｏｕｔ  外側のバリア壁
６ａ，６ｂ  補助接点の端子板
７    端子ねじ
８    圧着端子
９    外部電線
１２    凹部
【図１】
2009048843.tif 000003
【図２】
2009048843.tif 000004
【図３】
2009048843.tif 000005
【図４】
2009048843.tif 000006
【図５】
2009048843.tif 000007
【図６】
2009048843.tif 000008
【図７】
2009048843.tif 000009
【図８】
2009048843.tif 000010
【図９】
2009048843.tif 000011